(57)【要約】【課題】  ギター・アンプ等の楽器用真空管アンプで、真空管の増設又は真空管の交換やアンプ自体への半田付けを伴う改造の何れもせず、そのアンプ自体が持つプリアンプ回路内の信号増幅段数を直列に増やしてプリアンプ回路をハイゲイン化する。【解決手段】  独立した複数のチャンネルを持つ楽器用真空管アンプの片側のチャンネルのみを使用し、複合管の真空管ソケット１１とプリアンプ用真空管１２を本発明装置に接続して回路内での信号が流れる序列を変更させ、他方の使用しないチャンネル側の増幅回路部分を使用する側のチャンネルの信号増幅の為に使わせて増幅回路の段数を直列に増加させる。【選択図】    図１
2014183326.tif 000002
【特許請求の範囲】
【請求項１】
双三極管などの複合真空管によって独立した複数のチャンネルを持つプリアンプ回路にて、複数のチャンネル用に並列にそれぞれ独立してる複数の信号増幅回路を、一方のチャンネル用に直列に増幅回路の配置を変更する装置。
【発明の詳細な説明】
【技術分野】
【０００１】
本発明は主にエレクトリック・ギターなどの楽器用アンプに見られるプリアンプ回路の改造に関する。
【背景技術】
【０００２】
ギター・アンプなどの楽器用アンプは、オーディオ用のＨＩ−ＦＩアンプとは違い、音の信号を歪ませる事で楽器としての音色を作る特徴がある。
【０００３】
ギター・アンプなどの楽器用アンプは、特に真空管回路で歪ませた音色がより音楽的であるとして、上位機種を中心に現在でも真空管アンプが主流である。
【０００４】
真空管の種類の中には、真空管１本で２本分等の複数本分の働きを持たせた複合管があり、特にギターアンプ等の楽器用アンプのプリアンプ部の回路で使う真空管としては、最も一般的である。具体例として真空管名をあげるとＥＣＣ８３などがある。
【０００５】
ギター・アンプなどの楽器用アンプの中には、より多くの歪が得られるよう、回路内で音の信号の電圧を増幅する増幅回路の段数を直列により多く配列させた物があり、それらは一般的にハイゲイン・アンプと呼ばれている。
【０００６】
ハイゲインにする改造等での回路の変更で電圧増幅段数をより多くする為に回路の真空管の増幅段の絶対数を増やす方法があるが、その場合は既存の真空管だけでは数が足りなくなるので、真空管を追加するか又は既存の真空管より多くの増幅段数を持てる別の複合管と交換する必要が出てくる。
【０００７】
ハイゲイン・アンプが出てくる前の時代のビンテージ・アンプや、ビンテージ・アンプの復刻版を含めハイゲインではないタイプの楽器用真空管アンプの中には、例えば高音が強調されたチャンネルとノーマルの２つのチャンネル等、複数のチャンネルが用意された物が多く生産されていて、これらのアンプで回路内の信号の電圧増幅回路の増幅段の初段が独立してそれぞれのチャンネル用に並列に配置された設計の物が多く普及してある。本発明装置の対象のアンプでもあるそれらのアンプの例として次の非特許文献１を挙げることができる。
【０００８】
【非特許文献１】Ｍｉｃｈａｅｌ  Ｄｏｙｌｅ著 「Ｔｈｅ  Ｈｉｓｔｏｒｙ  Ｏｆ  Ｍａｒｓｈａｌｌ」、第１９７頁〜第２０６頁、第２０８頁〜第２０９頁
【０００９】
上記で述べたアンプで、高音が強調されたチャンネルとノーマルの２つのチャンネル等の複数のチャンネルがあっても実際にはどちらか一方の好みのチャンネルのみを使うユーザーも多い。その場合もう一方のチャンネルは使わない事になる。
【発明の開示】
【発明が解決しようとする課題】
【００１０】
本発明の目的は、真空管の追加又は真空管の種類の変更やアンプ自体に半田付けを伴う改造の何れもする事無く、アンプのプリアンプ回路部分の増幅回路の段数を直列に増やす事にある。
【課題を解決するための手段】
【００１１】
独立した複数のチャンネルを持つ楽器用真空管アンプの片側のチャンネルのみを使用し、複合管の真空管ソケット１１とプリアンプ用真空管１２を本発明装置に接続して回路内での信号が流れる序列を変更させ、他方の使用しないチャンネル側の増幅回路部分を使用する側のチャンネルの信号増幅の為に使わせて増幅回路の段数を直列に増加させる。
【発明の効果】
【００１２】
本発明は真空管の追加又は真空管の種類の変更やアンプ自体に半田付けを伴う改造の何れもする事無く、アンプのプリアンプ回路部分の増幅回路の段数を直列に増やす事を可能にする。
【発明を実施するための最良の形態】
【００１３】
図１のようにアンプのプリアンプの真空管ソケット１１と真空管１２を本発明装置に接続させる。
【実施例１】
【００１４】
図１は、本発明装置と楽器用真空管アンプとの１実施例の外観斜視図であり、プリアンプ部の回路内の一部分で複合真空管を使って複数の信号増幅回路が並列に独立して複数のチャンネルに分かれてる特定の真空管アンプで有効である。この実地例では２と５１と５２と２２４が本発明装置に属する。
１は楽器用真空管アンプのシャーシーであり真空管ソケット１１は同シャーシー上の真空管ソケットである。
本発明装置と接続する真空管１２は一つの真空管の中に複数の増幅回路を持つ複合管である。
ソケット１１へは本来は真空管１２を接続させるが、本発明ではそのソケット１１に本発明装置の真空管ソケット接続用プラグ５２を接続させ、真空管１２を本発明装置の真空管ソケット５１へ接続させて使う。
【００１５】
図２は、本発明装置の配線の一例である。図２はギターアンプ等で広く普及している真空管ＥＣＣ８３又はその互換球のピン配置を想定しての一例である。２１３〜２１９は真空管ソケット５１の各端子の接点で、２０１〜２０９は真空管ソケット接続用プラグ５２の各ピンの端子である。
チャンネル１の入力信号はプラグ２番ピン端子接点２０２から真空管ソケット７番端子接点（グリッド２）２１７を通して本来はチャンネル２で使っていた増幅回路へ行き、真空管ソケット６番端子接点（プレート２）２１６から真空管ソケット２番端子接点（グリッド１）２１２を経る事により、その出力信号が更に本来のチャンネル１用のもう一つの増幅回路の入力へと繋がる。
【図面の簡単な説明】
【００１６】
【図１】本発明装置の実施方法を示した外観斜視図である。（実施例１）
【図２】図の配線の一例である。
【図３】本発明装置の対象のアンプの独立２チャンネルのプリアンプの回路の一部分を示した回路図である。
【図４】図３の信号のフローを示した図である。
【図５】図３の回路に本発明装置を接続した状態の回路図である。
【図６】図５の信号のフローを示した図である。
【符号の説明】
【００１７】
１    楽器用真空管アンプのシャーシー
２    本発明装置本体
１１    真空管ソケット
１２    プリアンプ用真空管
５１    真空管ソケット
５２    真空管ソケット接続用プラグ
１０１    信号増幅回路
１０２    信号増幅回路
１１１    チャンネル１用ボリュームコントロール
１１２    チャンネル２用ボリュームコントロール
２０１    プラグ１番ピン端子接点
２０２    プラグ２番ピン端子接点
２０３    プラグ３番ピン端子接点
２０４    プラグ４番ピン端子接点
２０５    プラグ５番ピン端子接点
２０６    プラグ６番ピン端子接点
２０７    プラグ７番ピン端子接点
２０８    プラグ８番ピン端子接点
２０９    プラグ９番ピン端子接点
２１１    真空管ソケット１番端子接点（プレート１）
２１２    真空管ソケット２番端子接点（グリッド１）
２１３    真空管ソケット３番端子接点（カソード１）
２１４    真空管ソケット４番端子接点（ヒーター用）
２１５    真空管ソケット５番端子接点（ヒーター用）
２１６    真空管ソケット６番端子接点（プレート２）
２１７    真空管ソケット７番端子接点（グリッド２）
２１８    真空管ソケット８番端子接点（カソード２）
２１９    真空管ソケット９番端子接点（ヒーター用）
２２１    コンデンサー
２２２    抵抗
２２３    抵抗
２２４    アース端子接続用クリップ
１１１１    チャンネル１の信号入力端子接点
１１１２    チャンネル２の信号入力端子接点
２１１１    チャンネル１の増幅信号出力端子接点
２１１２    チャンネル２の増幅信号出力端子接点
【図１】
2014183326.tif 000003
【図２】
2014183326.tif 000004
【図３】
2014183326.tif 000005
【図４】
2014183326.tif 000006
【図５】
2014183326.tif 000007
【図６】
2014183326.tif 000008